(57)【特許請求の範囲】
【請求項１】
映像信号または制御信号を無線により送受信する送受信手段と、
該送受信手段により受信された映像信号のモードを判別する判別手段と、
表示装置の同一画面上に、前記判別手段によってモードが判別された映像信号または前記送受信手段により受信された制御信号を合成して表示する合成表示手段と、
前記判別された映像信号のモードに従って最適な映像が取り込まれるように前記合成表示手段を設定する設定手段と
を有し、
前記設定手段は、最初の設定時において、設定した制御データを記憶手段に記憶し、最初の設定時以降には、当該記憶手段に記憶した制御データを用いて前記合成表示手段を設定することを特徴とする映像表示装置に映像信号を送信するために、当該映像表示装置と無線ネットワークを介して接続された複数の端末であって、映像信号または制御信号を無線により送受信する送受信手段をそれぞれ備えたものにおいて、
少なくとも２つの前記送受信手段から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、
τ＝ｋＴ／（ｎ＋ｋ）
に設定することを特徴とする端末。
【請求項２】
映像信号または制御信号を無線により送受信する送受信手段と、
前記送受信手段により受信された映像信号のモードを判別する判別手段と、
表示装置の同一画面上に、前記判別手段によってモードが判別された映像信号または前記送受信手段により受信された制御信号を合成して表示する合成表示手段と、
前記判別された映像信号のモードに従って最適な映像が取り込まれるように前記合成表示手段を設定する設定手段と
を有し、
前記設定手段は、最初の設定時において、設定した制御データを記憶手段に記憶し、最初の設定時以降には、当該記憶手段に記憶した制御データを用いて前記合成表示手段を設定することを特徴とする映像表示装置に映像信号を送信するために、当該映像表示装置と無線ネットワークを介して接続された複数の端末の制御方法であって、映像信号または制御信号を無線により送受信する送受信工程をそれぞれ備えたものにおいて、
少なくとも２つの前記送受信工程から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、
τ＝ｋＴ／（ｎ＋ｋ）
に設定することを特徴とする端末の制御方法。
【請求項３】
映像信号または制御信号を無線により送受信する送受信手段と、
前記送受信手段により受信された映像信号のモードを判別する判別手段と、
表示装置の同一画面上に、前記判別手段によってモードが判別された映像信号または前記送受信手段により受信された制御信号を合成して表示する合成表示手段と、
前記判別された映像信号のモードに従って最適な映像が取り込まれるように前記合成表示手段を設定する設定手段と
を有し、
前記設定手段は、最初の設定時において、設定した制御データを記憶手段に記憶し、最初の設定時以降には、当該記憶手段に記憶した制御データを用いて前記合成表示手段を設定する
ことを特徴とする映像表示装置に映像信号を送信するために、当該映像表示装置と無線ネットワークを介して接続された複数の端末の制御方法であって、映像信号または制御信号を無線により送受信する送受信工程をそれぞれ備えたものにおいて、
少なくとも２つの前記送受信工程から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、
τ＝ｋＴ／（ｎ＋ｋ）
に設定することを特徴とする端末の制御方法を含む、コンピュータが実現できるプログラムを格納した記憶媒体。
【発明の詳細な説明】
【０００１】
【発明の属する技術分野】
本発明は、外部より入力される複数の映像信号を切り換えて表示する映像表示装置、その制御方法および記憶媒体に関する。
【０００２】
【従来の技術】
従来、複数の映像信号を入力して、１つの映像信号を出力する映像表示装置としては、メカ的または電気的なスイッチにより、この入力された複数の映像信号のうちいずれかを切り換えて出力するものが知られている。
【０００３】
図１４は、この従来の映像表示装置の一例を示すブロック図である。
【０００４】
同図において、複数のパーソナルコンピュータ（ＰＣ）１０１、ＤＶＤ（digital versatile disc）プレーヤ１０２および映像信号を出力する端末１０３は、映像信号切替スイッチ（ＳＷ）１０４を介して、表示装置１０５に接続され、表示装置１０５は、映像信号切替スイッチ１０４によって選択された１つの映像信号、すなわちいずれかの装置が出力した映像を表示する。
【０００５】
【発明が解決しようとする課題】
しかし、上記従来の映像表示装置では、会議等にて、プロジェクタ等の大画面表示装置に、接続された複数のＰＣや端末等が出力する映像信号を切り換えて表示する場合には、複数のＰＣや端末等が出力する映像信号の規格が異なるため、複数の映像信号規格に対応した表示装置を用いる必要があった。そして、このような表示装置を用いた場合でも、入力信号を切り替え、入力信号が安定した後に同期信号ＨＤ（horizontal deflection），ＶＤ（vertical deflection）により画像モードを判別し、ＰＬＬ回路の発振周波数を決定し、表示位置やサンプリング位相の調整などを行うため、表示映像が安定するまでに時間を要し、さらに、映像が乱れてしまうこともあった。
【０００６】
また、上記従来の映像装置では、入力された複数の映像信号から１つを選択して表示するために、選択した１つの映像しか表示することができず、他にどのような映像ソースが入力されているかが判らず不便であった。
【０００７】
さらに、プロジェクタを用いた会議において、複数のＰＣが出力する映像信号を切り換えて表示する場合には、映像入力端子に接続されている各ＰＣからの映像信号を確認できないため不便であり、また、各ＰＣからの映像信号出力の特性（周波数など）が各ＰＣ毎に異なる場合があるため、マルチスキャン方式の表示装置であっても、表示映像が安定するまでに時間を要したり、映像が乱れたりするという問題があった。特に、大画面の表示装置に複数のＰＣからの映像信号を切り換えて使用する会議用や教育用のシステムの場合には、この問題が顕著に表われていた。
【０００８】
本発明は、この点に着目してなされたものであり、入力されている映像ソースの内容を容易に確認することができるとともに、映像を乱さずにすぐに表示映像を切り換えることができる映像表示装置、その制御方法および記憶媒体を提供することを第１の目的とする。
【０００９】
また、近年、モバイル端末の急速な進歩により、各人が自分の必要とするデータを保持したり、または、自分の端末がアクセスできるサーバに接続してデータを確認したりすることが日常行われ、場所や時間を超えて仕事の生産性を高める方向へ移行しつつある。このような環境で、会議に集まった人達が議論する場合に、各自のモバイル端末からデータを出し合いながら議論を進行させたいという要求が高まってきた。
【００１０】
しかしながら、上記従来の映像表示装置では、複数の機器を接続するものとしては、単なる切替スイッチ１０４であったため、次のような問題が生じていた。
すなわち、
１）ケーブル接続が煩雑で、かつ、接続可能なケーブルが限られる
モバイル機器の小型化により、映像出力端子も別モジュールを介して接続しなければならない場合も多く、ケーブル接続が煩雑である。また、ＰＣに表示されている映像を会議で大画面に表示するプロジェクタへの接続は、Ｄ−Ｓｕｂ（Subminiature-D）１５ピンのコネクタをもつＶＧＡ（Video Graphics Array）ケーブルが一般的であるが、コネクタのサイズが大きく、最新のプロジェクタの小型化により、入力端子は、通常ＰＣ用およびビデオ用それぞれ１系統である。高級機では、ＰＣ用およびビデオ用それぞれ２〜３系統持つものもあるが、せいぜいその程度であり、接続可能な機器の数が限られている。
【００１１】
２）ケーブルの位置で個々のモバイル端末の接続場所が限られる
ＶＧＡケーブルは、太く、長さも２ｍ程度であるため、発表者は、ケーブルのある位置に毎回移動し、接続し直して会議を行っていることが通常である。したがって、接続するまでの時間が無駄となり、会議も途切れ途切れになってしまう。
【００１２】
３）表示すべき映像信号を個々の端末に切り替えてから最適な表示をさせるまで時間を要する
この点については、上記発明の第１の目的で詳述したので、その説明を省略する。
【００１３】
４）会議への参加者のうち発表者のみの映像しか表示できない
この点についても、上記発明の第１の目的で詳述したので、その説明を省略する。
【００１４】
５）複数のデータから加工、編集した情報を参加者に送信等ができない
多人数で議論する場合、それぞれのデータを出し合うだけでなく、議論した結論を参加者にその場で配布することが仕事の生産性を高めるために要求される。しかしながら、上記従来の映像表示装置では、受信した映像信号を表示するだけで、そこで表示されているデータを配信できないので、上記ニーズには応えられない。
【００１５】
本発明は、この点に着目してなされたものであり、複数の映像信号をケーブル接続によらずに入力し、入力されている映像信号を容易に確認でき、映像を乱さずにすぐに表示映像を切り換え、さらに、表示映像を配信することができる映像表示装置、その制御方法および記憶媒体を提供することを第２の目的とする。
【００１６】
【課題を解決するための手段】
【００２７】
上記第２の目的を達成するため、請求項１に記載の端末は、映像信号または制御信号を無線により送受信する送受信手段と、該送受信手段により受信された映像信号のモードを判別する判別手段と、表示装置の同一画面上に、前記判別手段によってモードが判別された映像信号または前記送受信手段により受信された制御信号を合成して表示する合成表示手段と、前記判別された映像信号のモードに従って最適な映像が取り込まれるように前記合成表示手段を設定する設定手段とを有し、前記設定手段は、最初の設定時において、設定した制御データを記憶手段に記憶し、最初の設定時以降には、当該記憶手段に記憶した制御データを用いて前記合成表示手段を設定することを特徴とする映像表示装置に映像信号を送信するために、当該映像表示装置と無線ネットワークを介して接続された複数の端末であって、映像信号または制御信号を無線により送受信する送受信手段をそれぞれ備えたものにおいて、少なくとも２つの前記送受信手段から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、τ＝ｋＴ／（ｎ＋ｋ）に設定することを特徴とする。
【００４５】
上記第２の目的を達成するため、請求項２に記載の端末の制御方法は、映像信号または制御信号を無線により送受信する送受信手段と、前記送受信手段により受信された映像信号のモードを判別する判別手段と、表示装置の同一画面上に、前記判別手段によってモードが判別された映像信号または前記送受信手段により受信された制御信号を合成して表示する合成表示手段と、前記判別された映像信号のモードに従って最適な映像が取り込まれるように前記合成表示手段を設定する設定手段とを有し、前記設定手段は、最初の設定時において、設定した制御データを記憶手段に記憶し、最初の設定時以降には、当該記憶手段に記憶した制御データを用いて前記合成表示手段を設定することを特徴とする映像表示装置に映像信号を送信するために、当該映像表示装置と無線ネットワークを介して接続された複数の端末の制御方法であって、映像信号または制御信号を無線により送受信する送受信工程をそれぞれ備えたものにおいて、少なくとも２つの前記送受信工程から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、τ＝ｋＴ／（ｎ＋ｋ）に設定することを特徴とする。
【００６３】
また、上記第２の目的を達成するため、請求項３記載の記憶媒体は、映像信号または制御信号を無線により送受信する送受信手段と、前記送受信手段により受信された映像信号のモードを判別する判別手段と、表示装置の同一画面上に、前記判別手段によってモードが判別された映像信号または前記送受信手段により受信された制御信号を合成して表示する合成表示手段と、前記判別された映像信号のモードに従って最適な映像が取り込まれるように前記合成表示手段を設定する設定手段とを有し、前記設定手段は、最初の設定時において、設定した制御データを記憶手段に記憶し、最初の設定時以降には、当該記憶手段に記憶した制御データを用いて前記合成表示手段を設定することを特徴とする映像表示装置に映像信号を送信するために、当該映像表示装置と無線ネットワークを介して接続された複数の端末の制御方法であって、映像信号または制御信号を無線により送受信する送受信工程をそれぞれ備えたものにおいて、少なくとも２つの前記送受信工程から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、τ＝ｋＴ／（ｎ＋ｋ）に設定することを特徴とする端末の制御方法を含むことを特徴とする。
【００７０】
【発明の実施の形態】
以下、本発明の実施の形態を図面に基づいて詳細に説明する。
【００７１】
図１は、本発明の第１の実施の形態に係る映像表示装置の概略構成を示すブロック図である。
【００７２】
同図において、アナログ映像信号を入力するための複数の入力端子１は直接に、コンポジット信号などのビデオ信号を入力するための複数の入力端子２は、この複数の入力端子２からそれぞれ入力される映像信号のいずれかを選択して出力するためのセレクタ３およびデコーダ４を介して、入力端子１から入力される映像信号とデコーダ４から出力される信号のうち、いずれかの信号を選択して出力するためのセレクタ５に接続されている。
【００７３】
セレクタ５の出力側は、Ａ／Ｄ変換器６を介して、セレクタ７に接続され、セレクタ７の出力側は、信号処理部８に接続されている。
【００７４】
信号処理部８には、メモリ９、Ｄ／Ａ変換器１０およびタイミング制御部１４が接続されている。そして、Ｄ／Ａ変換器１０の出力側は、たとえばＬＣＤ（liquid crystal display）からなる表示器１１に接続されている。
【００７５】
タイミング制御部１４の入力側には、ＰＬＬ（phase locked loop）回路１３を介して、同期信号処理回路１２が接続され、ＯＳＣ（oscillator）１５およびマイクロコンピュータ（ＣＰＵ）１６も接続されている。
【００７６】
ＣＰＵ１６には、画像選択部１７が接続されている。ＰＣ（パーソナルコンピュータ）等から出力されたアナログ映像信号および同期信号ＨＤおよびＶＤは、アナログ入力端子１を介して入力される。
【００７７】
また、入力端子２から入力されたビデオ信号は、デコーダ４により、映像信号と同期信号ＨＤおよびＶＤに分離される。
【００７８】
入力端子１，２から入力される複数の映像信号のいずれか１つが、セレクタ３および５の組合わせによって選択され、この選択された映像信号が、Ａ／Ｄ変換器６によりディジタル信号に変換された後に、信号処理部８に入力される。
【００７９】
また、映像信号を入力するための複数の映像端子２２もまた、セレクタ７に接続され、セレクタ７は、ディジタル映像信号またはＡ／Ｄ変換器６の出力のいずれかを選択して、信号処理部８へ出力する。
【００８０】
信号処理部８は、コントラストおよびブライト等の調整や、マルチスキャン処理に伴う画像の拡大／縮小などの処理を行う。
【００８１】
メモリ９は、上記信号処理のためのバッファメモリとして使用される。
【００８２】
信号処理部８からの出力信号は、Ｄ／Ａ変換器１０によりアナログ信号に変換され、表示器１１を駆動する。
【００８３】
セレクタ５で選択された映像信号および同期信号ＨＤおよびＶＤのうち、映像信号はＡ／Ｄ変換器６に入力される一方、同期信号ＨＤおよびＶＤは同期信号処理部１２に入力される。同期信号処理部１２では、入力された同期信号ＨＤおよびＶＤのタイミング関係より画像モードの判別を行う。ここでのモード判別では、同期信号ＨＤおよびＶＤのタイミング関係より、画像モードを判別し、ＰＬＬ回路１３の発振周波数を決定するとともに、表示位置やサンプリング位相等の制御を行う。
【００８４】
画像選択部１７は、リモコンや外部ＳＷ（ともに図示せず）により入力画像の選択（どの端子から入力された画像を表示するか）や確認表示の設定を行う。
【００８５】
以上のように構成された映像表示装置が実行する制御処理を、以下、図２および図３を参照して説明する。
【００８６】
図２は、本実施の形態の映像表示装置、特にＣＰＵ１６が実行する副画面表示処理の手順を示すフローチャートである。
【００８７】
同図において、まず、入力ソース確認開始信号が入力されると、処理中の１フレーム分の信号を処理してフレームメモリに書き込んだ後に、メモリへの書込みを停止する（ステップＳ１→Ｓ２）。ここで、メモリからの映像信号の読み出しおよび表示器１１への表示は継続される。
【００８８】
次に、セレクタ３，５を切り換えて異なる映像信号を選択する（ステップＳ３）。
【００８９】
そして、切り換え後の垂直同期信号ＨＤや水平同期信号ＶＤを基にして映像信号のモードを判別し（ステップＳ４）、判別された映像信号のモードに従い、ＰＬＬ回路１３や信号処理部８、タイミング制御部１４の各設定を行い（ステップＳ５）、最適な画像が取り込まれるようにする。
【００９０】
次に、選択した画像の表示位置および画面の縮小率を決定し（ステップＳ６）、対応したメモリアドレスにデータを書き込む（ステップＳ７）。
【００９１】
以上の処理（ステップＳ１〜Ｓ７）を映像入力の数だけ繰り返すことにより（ステップＳ８）、一覧表示画像を得る。
【００９２】
なお、本副画面表示処理は、入力ソース確認用のスイッチ（図示せず）が操作されたときにだけ実行されるようにしてもよいし、一定期間毎に繰り返し実行されるようにしてもよい。
【００９３】
また、ステップＳ４の映像信号モードの判別は、初期化時のみ、各入力端子に対して行い、各端子より入力される映像信号のモードまたは制御データを、ＣＰＵ１６内またはＣＰＵ１６に接続された不図示の記憶装置に記憶して、初期化時以外には、モード判別および表示位置調整や映像信号のサンプリング位相などの制御データの演算を行わずに、前記記憶装置に記憶した内容に基づいて処理を行ってもよい。
【００９４】
この場合は、毎回、モード判別および表示位置調整や映像信号のサンプリング位相などの制御データの演算を行わないため、副画面表示の処理速度が速くなるという利点がある。また、再度、初期化設定を行うことにより記憶した内容を更新することも可能である。
【００９５】
図３は、上記副画面表示処理により表示された入力ソース確認画面の一例を示す図である。
【００９６】
同図において、（ａ）は、主画面１１ａの下部に副画面１１ｂ〜１１ｄを表示した場合を示し、（ｂ）は、画面を分割して、主画面１１ｅおよび副画面１１ｆ〜１１ｈをともに同一サイズで表示した場合を示し、（ｃ）は、主画面１１ｉ上に、複数の副画面１１ｊ〜１１ｌを子画面として表示した場合を示している。
【００９７】
次に、本発明の第２の実施の形態に係る映像表示装置を説明する。
【００９８】
上記第１の実施の形態では、スイッチが押されたとき、または一定期間間隔で、入力ソースの副画面表示を更新するため、主画面にて動画を表示している場合には、副画面（子画面）を表示する際に主画面の動きが停止して、不自然になったり、乱れたりする問題があった。本実施の形態は、この問題を解決するためのものである。
【００９９】
図４は、本実施の形態の映像表示装置の概略構成を示すブロック図であり、図１の第１の実施の形態の映像表示装置に対して、動画／静止画判別回路２１を追加した点のみが異なっている。この動画／静止画判別回路２１は、文字通り、選択された映像信号が動画のそれか、静止画のそれかを判別するためのものである。
【０１００】
図５は、本実施の形態の映像表示装置が実行する表示処理の手順を示すフローチャートである。
【０１０１】
同図において、まず、主画面表示処理を行う（ステップＳ１１）。
【０１０２】
次に、静止画／動画判別回路２１からの信号により主画面が一定時間以上静止画であるか否かをチェックし（ステップＳ１２）、予め決められた一定時間以上静止画である場合にのみ、前記第１の実施の形態で説明した副画面表示処理（図２参照）と同様の処理を行った（ステップＳ１３）後に、本表示処理を終了する。
【０１０３】
静止画／動画の判別方法としては、一般的に、画像データにおけるフレーム間での画像データの差異や、その差異から計算される動きベクトル値により判別を行う方法が用いられる。
【０１０４】
このように、本実施の形態では、主画面が一定時間以上静止画であると判断した場合にのみ入力ソースの副画面表示を更新するため、主画面にて動画を表示している場合には、副画面（子画面）を表示する際に主画面の動きが止まり、不自然になったり、乱れたりする問題を改善することができる。
【０１０５】
次に、本発明の第３の実施の形態に係る映像表示装置を説明する。
【０１０６】
本実施の形態の映像表示装置は、前記第１の実施の形態の映像表示装置に対して、副画面表示処理のみが異なるため、ハードウェアとしては、図１と同様のものを使用する。
【０１０７】
図６は、本実施の形態の映像表示装置が実行する副画面表示処理の手順を示すフローチャートであり、前記図２のフローチャートに対して、ステップＳ２１の処理を追加した点のみが異なっている。
【０１０８】
図６において、映像信号を切り換えて、画像モードを判別した際に、映像信号が無い（無信号）と判断した場合には、フレームメモリへの書込みを行わず、次の入力端子の副画面処理に戻る（ステップＳ４→Ｓ２１→Ｓ１）。
【０１０９】
このように、本実施の形態では、映像入力端子に映像が入力されていない場合に、その端子の副画面を表示しないようにしたので、接続されていない入力端子の画面の映像が表示されず、使い勝手が向上する。
【０１１０】
次に、本発明の第４の実施の形態に係る映像表示装置を説明する。
【０１１１】
本実施の形態の映像表示装置は、前記第１の実施の形態の映像表示装置に対して、副画面表示処理のみが異なるため、ハードウェアとしては、図１と同様のものを使用する。
【０１１２】
図７は、本実施の形態の映像表示装置が実行する副画面表示処理の手順を示すフローチャートであり、前記図６のフローチャートに対して、ステップＳ３１〜Ｓ３３の処理を追加した点のみが異なっている。
【０１１３】
図７において、画像モードの判別の結果、信号が存在する場合には、通常の副画面処理によりフレームメモリへの書込みを行い（ステップＳ２１→Ｓ５→Ｓ６→Ｓ７）、信号が無い（無信号）と判断した場合には、予め登録した画像をフレームメモリへ書き込む（ステップＳ２１→Ｓ３１→Ｓ３２→Ｓ３３）。
【０１１４】
ここで、登録画像の設定方法としては下記の方法がある。すなわち、登録画像は画像入力端子から入力され、表示されている映像を選ぶ。または、サムネイル表示の中から選択すると、▲１▼その映像を拡大して表示して取り込む、または、▲２▼表示はサムネイルを表示したまま（フリーズ）。
【０１１５】
このように、本実施の形態では、初期化時の信号状態で、使用端子、未使用端子をチェックし、無信号と判断した入力端子については、上記第３の実施の形態のように、副画面の表示を行わないが、初期化以後、無信号と判断した場合には、最終画像または記憶画像を表示するようにしたので、接続された機器からの映像信号が一時的に途切れた場合でも、副画面を表示し利便性を失わないようにすることができ、さらに、無信号時に表示する画像を予め設定できるため、視認性の向上にも寄与することができる。
【０１１６】
なお、選択した画像にフレームレートを合わせるようにしたり、選択した画像に歪みが生じないように読み出すようにしてもよい。
【０１１７】
次に、本発明の第５の実施の形態に係る映像表示装置を説明する。
【０１１８】
図８は、本実施の形態の映像表示装置の概略構成を示すブロック図である。
【０１１９】
同図において、無線送受信モジュール部３０は、アンテナ３１、パワーアンプ（ＰＡ）３２と、ＲＦ（radio frequency）トランシーバ部３３と、マイコンの他通信用プロトコル処理回路等からなるベースバンド部３４と、たとえばフラッシュＥＥＰＲＯＭ（electrically erasable and programmable read only memory）からなるメモリ３５とによって構成されている。これらの無線送受信には、２.４ＧＨｚの周波数帯域を利用したＢｌｕｅｔｏｏｔｈ，ＩＥＥＥ８０２.１１，ＩＥＥＥ８０２.１１ａ，ＩＥＥＥ８０２.１１ｂ等が有効である。Ｂｌｕｅｔｏｏｔｈは、その普及のために、ＩｒＤＡ（Infrared Data Association）のソフトウェア資産をなるべく流用できる方式となっており、オブジェクト交換プロトコル「ＯＢＥＸ」を採用しており、ＯＢＥＸを採用したアプリケーションソフトウェアは、機器や方式の違いを意識することなく各種オブジェクトをやり取りすることができる。
【０１２０】
データおよび制御信号は、バス４１を介して、映像表示装置本体のマイコン４２に伝送される。これらのインターフェース用バスとしては、ＵＳＢ（Universal Serial Bus）やＰＣＩバス（Peripheral Component Interconnect bus）等が対応可能である。ＮＴＳＣ（National Television System Committee）方式の映像信号やＰＣからの映像信号等は、映像入力端子４３を介して、セレクタ４４に入力され、セレクタ４４からの出力は、入力選択部４５によって、切り替えられる。
【０１２１】
セレクタ４４の出力側は、信号処理部４６およびＰＬＬ回路４７に接続され、信号処理部４６にはメモリ４８およびタイミング制御部４９が接続され、信号処理部４６の出力側は、Ｄ／Ａ変換器５０を介して、または、直接表示器５１に接続されている。
【０１２２】
表示器５１は、ＴＦＴタイプのＬＣＤ、ＤＭＤ等が有効である。ＤＭＤの場合には、Ｄ／Ａ変換器５０の代わりに、ＤＭＤ専用ドライバを設ける。
【０１２３】
また、表示位置検出回路５２も設けられている。
【０１２４】
以下、本実施の形態の映像表示装置が実行する動作について説明する前に、本装置の使い方の一例を図９を用いて説明する。
【０１２５】
図９は、ある会議室の状況を示すもので、テーブル６１の上には、ノートＰＣ６２〜６４、インクジェットプリンタ６５、スキャナ６６、プロジェクタ６７が置かれている。これらの機器には、上記無線モジュール３０が内蔵されている。
【０１２６】
スクリーン７０には、プロジェクタ６７からの映像が映し出されている。また、会議室とは別の野外で、自動車８１をデジタルカメラ８０で撮影している。このデジタルカメラ８０は、携帯電話（図示せず）にて、撮影した画像を送ることが可能となっている。その画像データを受信する携帯電話６８が、テーブル６１上に置かれている。
【０１２７】
この会議は、デジタルカメラ８０を持ち、遠隔地から会議に参加するＡさん、ノートＰＣを持つＢさん、ノートＰＣ６３を持つＣさん、ノートＰＣ６４を持つＤさんの４人で行われている。会議の主催者であるＢさんが、今回の会議で使用する機器、すなわち、この会議室内の機器であって、無線でアクセス可能なものをリストアップした。テーブル６１内には、ＣさんのノートＰＣ６３と、ＤさんのノートＰＣ６４と、プリンタ６５と、スキャナ６６と、プロジェクタ６７と、携帯電話６８とを会議で使用し、便宜上ＬＡＮ（local area network）を構成する機器として選択した。Ａさんとは、予め電話で会議参加を呼びかけておいたので、携帯電話を介して参加できる。この場合、便宜上設定されたＬＡＮでＢさんのＰＣ６２がマスタとなり、その他がスレーブの構成になる。プロジェクタ６７には、便宜上接続させた機器のデータを取り込み、Ｂさんのデータが領域７０ａへ、ＣさんのＰＣに表示されているデータ６３ａが領域７０ｂへ、ＤさんのＰＣ６４に表示されているデータ６４ａが領域７０ｃへ、スキャナ６６から読み込んだデータ６６ａが領域７０ｄへ、プリンタ６５の接続状況と現状の状態を示す表示が領域７０ｅへ表示させ、デジタルカメラ８０で撮影した車８１の写真は、遠隔地から携帯電話を介して取り込み、領域７０ｆに表示させている。
【０１２８】
このように、無線モジュール３０で接続可能で、マスタとなる機器からスレーブとしてネットワークに組み入れられた機器は、プロジェクタ６７からすべて表示されている。これにより、この会議で接続されている機器のデータを取り入れたり、そのデータをプリンタへ出力したりすることを容易に行うことができる。
【０１２９】
プロジェクタ６７への入力データにおいて、マスタとなる画像が表示位置７０ａに表示される訳で、発表者Ｂさんから、会議参加者Ａさん、Ｃさん、Ｄさんの誰かにマスタを切り替えた場合、マスタに選択された画像が位置７０ａに表示される。この操作は、各端末から以外にも、プロジェクタ６７用のポインタ、デジタイザ（ともに図示せず）でクリック等の操作により画面を選択できる。つまり、選択画面が大きく表示され、非選択端末は、その端末の表示データがネットワークに接続させているものは小さいサイズで表示される。会議で示させたデータに関して議論が進み、初期のデータを修正した場合、上記システムでは、その修正データをこの無線ネットワークに接続されている各端末へ送信することもできる。
【０１３０】
なお、本実施の形態では、便宜上マスタとなる機器の画像が選択画面として表示されるとしたが、スレーブ機器からプロジェクタ６７へ表示モード情報を送信することにより、選択／非選択画面の決定や、各々の画面の表示サイズ等を変更するようにしてもよい。
【０１３１】
以上のシステムを可能にする制御動作について再度、図８に戻り説明する。図８は、プロジェクタ６７内部に組み込まれた回路であり、図９で説明したように、会議で使用する機器の電源を投入し、とりあえずマスタとなる機器から、スレーブとなる機器を選択する。選択したとき、そのネットワーク上で接続して使用する機器のアドレス等を決定する。プロジェクタ６７のアンテナ３１から、ネットワークに接続された機器からの表示データまたはその制御データが取り込まれる。このデータには、マスタであるかスレーブであるかを示すデータ、すなわち端末を識別するデータと、画像データそのもの、その画像データのタイミング等を規定する信号（同期信号ＨＤ，ＶＤ等）、プリンタ６５の状態等のデータとが含まれている。ＲＦトランシーバ部３３、ベースバンド部３４でＲＦ搬送波からデータ信号へデコードし、バス４１を介して無線からのシリアルなデジタル信号がマイコン４２に入力される。
【０１３２】
マイコン４２は、どの端末の表示データであるかまたは制御データであるかを判別して、メモリ４８の所望のアドレスに書き込む。この場合、複数の端末から、表示データまたは制御データが個別に入力されるが、上述のように、各端末毎に、仕分けしてメモリ４８に書き込むので、メモリ４８から読み出すときには、１端末の映像信号としてまとまったものとなる。
【０１３３】
なお、本実施の形態では、画像処理を行うメモリ４８を、表示データまたは制御データを一時的に格納するメモリとしても利用したが、これに限らず、バス４１とマイコン４２との間に、メモリを追加し、一旦上記複数の端末からのデータまたは制御データを格納し、そこからメモリ４８を書き込むようにしてもよい。
【０１３４】
一方、無線モジュール部３０以外の映像入力端子４３からも、通常のアナログＰＣ入力信号やアナログビデオ入力信号が入力され、Ａ／Ｄ変換器（図示せず）を介してセレクタ４４に入力される。この端子４３として、アナログ端子以外に、デジタル端子（ＬＶＤＳ，ＴＭＤＳ）を採用してもよいことは言うまでもない。
【０１３５】
入力選択部４５により、映像入力端子４３からの信号のうち、いずれを選択するかが決定され、信号処理部４６を介してメモリ４８に格納される。
【０１３６】
上記２通りの方法により取り込まれた画像データを（ドットクロックに従って）表示器５１に適した信号に変換し、図９の表示レイアウトに合うように、各データを信号処理部４６で縮小処理することにより、複数画像データを合成し、ＲＧＢ出力信号は、Ｄ／Ａ変換器５０によりアナログ信号に変換され、表示器５１を駆動する。したがって、１表示画面には、少なくとも２つの映像信号が合成表示される。
【０１３７】
表示位置検出回路５２は、最初と最後の同期信号を検出して、適切な画面位置に制御する一方、入力選択部４５により選択された入力信号に対して、信号処理部４６による処理を行った後の同期信号ＨＤ，ＶＤを出力し、マイコン４２によりＰＬＬ回路４７に対して周波数の設定を行う。
【０１３８】
次に、プロジェクタ６７の表示レイアウトや表示画像を決定するために、ＰＣ６２〜６４などから送信される送信画像データと表示モード信号について説明する。
【０１３９】
図９の各ＰＣ６２〜６４や周辺機器６５〜６８にはプロジェクタ６７用のドライバソフトウェアがインストールされており、プロジェクタ６７の表示サイズ、画素数等の情報が予め登録されている。
【０１４０】
マスタ機器やスレーブ機器からプロジェクタ６７に対して画像の表示を命令する際には、このドライバソフトウェアによりＰＣ６２〜６４の各画面上に表示されている表示装置への出力コマンドをオンすればよい。これによりＰＣ６２〜６４上に表示されている画面情報がドライバソフトウェアにより、プロジェクタ６７にとって最適なデータに変換されて送信される。
【０１４１】
なお、データ出力（送信）用のスイッチを別途設けるようにしてもよい。
【０１４２】
図１０は、送信画像データ((ａ))および表示モード信号((ｂ))の各フォーマットの一例を示す図である。
【０１４３】
同図（ａ）において、送信画像データは、送信機器のアドレスと、受信機器のアドレスと、画像データ開始信号と、画素サイズ、圧縮方法、圧縮率および画像フォーマットなどのヘッダ情報と、画像データと、画像終了信号とからなる。
【０１４４】
プロジェクタ６７では、アンテナ３１から上記送信画像データを得て、バス４１を介してメモリ４８に格納される。ここで、ヘッダ情報に従い、画像データの伸長や画像の拡大／縮小処理、メモリの書込みアドレスの決定を行う。
【０１４５】
ここで、プロジェクタ６７は、前記マスタ機器およびスレーブ機器から、アンテナ３１を介して、表示モード信号を受信することにより、複数画面の表示位置やサイズなどを変更することが可能である。
【０１４６】
図１０（ｂ）において、表示モード信号は、表示モード開始信号、各画面の表示位置、各画面の表示サイズ、選択画像、表示モード終了信号などのレイアウト情報からなる。また、表示モード信号としては、予め表示装置にて用意されているいくつかの表示モードを選択するための信号を送信するようにしてもよい。
【０１４７】
このように、本実施の形態では、マスタ機器およびスレーブ機器から自由に表示画面の選択などができるため、便利である。
【０１４８】
ここで、通常の表示装置の場合は、あくまでも、入力された画像信号を表示するものであったが、本発明のシステムではその機能以上のものを備えている。その機能について、次に説明する。
【０１４９】
上記映像表示装置に対して映像信号を送信するための、上記無線モジュール部３０と同様のモジュールを有した端末が複数個ネットワークに接続され、上述のように、このネットワーク内には、ネットワーク環境を規定するマスタ端末とそれに従属するスレーブ端末がすでに設定されている。このネットワークに接続された端末のデータを表示するときに、各端末からのデータをプロジェクタ６７側に送信する必要があるが、本実施の形態では、マスタ無線端末または映像信号端子からの信号による画像を選択画面とし、上記ネットワーク内の少なくとも２つ（自分を含めて）から送信される映像信号を、その映像期間周期をＴ、選択した映像信号の送信期間をτ、非選択入力信号の数をｎ、定数をｋ（≧１）としたとき、
τ＝ｋＴ／（ｎ＋ｋ）
としている。
【０１５０】
一方、残りの（Ｔ−τ）の期間に非選択データを取り込む。これは、選択データのデータ取り込み比率を非選択データのｋ倍にすることで、合成画面に表示するときに、データ圧縮率の高い非選択データと差をつけ、最終的に合成画面の画質に違和感がないようにするためである。したがって、表示画面サイズの比率に応じて上記定数ｋの値を決めるのも良い方法である。非選択データの各々は、約（Ｔ−τ）／ｎ期間で取り込むが、それぞれのデータ量の大きさが異なるため、必ずしも均等に割り振る必要はない。定数ｋの値が“１”から大きくなるにつれ、スレーブに相当する端末からの送信に比較して、マスタ端末からの送信を受ける時間の比率が増加し、選択画面の品位の向上を図ることができる。また、選択画面の画像を、マスタ無線端末からか映像信号端子からの選択は、通常のリモコン（図示せず）における入力切替で実行させる。上記方法は、無線等の回線容量が限られている場合、必要なデータをより早く、かつ、高品位に表示する場合に極めて有効である。
【０１５１】
スレーブ端末のデータ送信の比率を落とす方法には、上記端末のヘッドラインデータのみ伝送する方法、画像データを間引く方法等いくつかの方法があるが、元データより、スレーブ状態の圧縮率を高めて送るようにすればよい。表示装置側またはマスタ端末から、スレーブ端末をマスタに変換すれば、その情報をより詳細に見ることができる。
【０１５２】
以上は、プロジェクタ等の本発明の表示装置へデータを送信する場合の方法を説明したものであるが、次の方法は、送信されてきたデータを一旦格納し、それを表示するときに工夫を施したものである。
【０１５３】
無線モジュール部３０から、または、映像入力端子４３からのデータは、メモリ４８に格納される。この場合、複数の画像データを格納しているメモリ４８内の選択画像データと非選択画像データとからなる合成画像データにおいて、非選択データの圧縮率を高くすることにより、同様の効果が得られる。
【０１５４】
次に、以上のように構成された映像表示装置が実行する制御処理について説明する。
【０１５５】
入力ソース確認開始信号が入力されると、まず、無線環境でのマスタ端末または映像入力端子のうち、デフォルトとなっているものが選択される。必要に応じてリモコン等でこの選択を切り換えるようにしてもよい。上記画像データの１フレーム分の信号をフレームメモリに書き込んだ後に、メモリへの書込みを一旦停止する。ここで、メモリからの映像信号の読み出しおよび表示器への表示を継続するようにしてもよい。但し、本期間は、上記画像データの１フレーム分のみの表示となっている。
【０１５６】
次に、接続させている端末からの情報（画像データもさることながら、プリンタの状況データ等）を順次上記表示装置へ送る。順次データの単位は必ずしも１フレーム分等の制約はない。したがって、画像データとして構成できないまでは、上記端末の愛称等のアイコンを表示データとして肩代わりする。異なる端末毎に順次取り込み、圧縮データでも所望の表示エリアに表示可能なデータを取り込むことができた時点で上記アイコンから画像データへ切り替える。または、両者を合成したものを表示することも有効である。
【０１５７】
次に、多画面のレイアウトを行う。
【０１５８】
図１１は、この多画面のレイアウト例を示す図である。図１１（ａ）に示すように、デフォルトとしては、画面の左端７０Ｂと下端の領域７０Ｃが非選択画面の表示位置に用意され、非選択画面の数に応じて変わり、残りの領域７０Ａに選択画像が表示される。非選択画面が少ないときは、自動的に、図１１（ｂ）に示すように、非選択画像領域７０Ｄが縮小し、アスペクト比に応じて、選択画像領域７０Ａも中心へ移動する。これは、デフォルト値であり、そのレイアウトはユーザがＰＣでの画面サイズの変更の要領で変更できる。
【０１５９】
このようにして、レイアウトが決まると、上記取り込みが終了している各端末からの画像データに対して、画面サイズに応じた位置および圧縮（縮小）処理を行う。
【０１６０】
次に、前述した取り込み期間の比率で各端末からのデータを順次切り替えて取り込み、そして、対応したメモリアドレスにデータを書き込む。
【０１６１】
上記各処理を映像入力の数だけ繰り返すことにより一覧表示画像が得られる。
【０１６２】
次に、本発明の第６の実施の形態に係る映像表示装置を説明する。
【０１６３】
本実施の形態の映像表示装置は、上記第５の実施の形態の映像表示装置に対して、表示器５１、Ｄ／Ａ変換器５０および表示位置検出回路５２を省略したものである。すなわち、第５の実施の形態は、無線モジュール部３０をプロジェクタ６７に取り込むように構成したのに対して、本実施の形態では、無線モジュール部３０および多入力選択機能のみからなる構成としている。
【０１６４】
図１２は、本実施の形態の映像表示装置の概略構成を示すブロック図であり、同図に示すように、多入力信号を合成したデジタル出力端子５５が設けられている。
【０１６５】
このように構成することにより、従来ＰＣ用１端子、ビデオ用１端子しかついていないフロントプロジェクタに上記装置を接続して使用することにより、無線環境に対応でき、かつ、多入力に対応できるようになる。
【０１６６】
また、本構成において、１０ＢａｓｅＴや１００ＢａｓｅＴ等のＬＡＮケーブルの端子をそのユニットに複数設け、無線モジュールによるその場のネットワークと既存のＬＡＮとを接続するハブ（hub）機能をその機器に持たせることも有効である。
【０１６７】
次に、本発明の第７の実施の形態に係る映像表示装置を説明する。
【０１６８】
本実施の形態の映像表示装置は、前記第５の実施の形態の映像表示装置に対して、動画／静止画判別回路を追加した点のみが異なっている。
【０１６９】
図１３は、本実施の形態の映像表示装置の概略構成を示すブロック図である。同図に示すように、動画／静止画判別回路５６は、各端末からの画像データにおいて、フレーム間での画素データの差異、その差異から計算される動きベクトル値から上記判別を行う。今回の各端末から送信されてくるデータ量とそれが動画か静止画かも判別し、データ取り込み割合を調整する方式である。マスタまたは選択された映像入力端子からの画像データが動画または準動画のとき、前記定数ｋの値を画面が違和感なく見れるように調整する。（ここで、準動画とは、静止画像が切り替わる場合や、画面の一部分に動画が表示されている場合のように、一時的にまたは部分的に画像が変わる場合を示している。）逆に、マスタ端末または選択された映像入力端子からの画像データが一定時間以上静止画であると判断し、かつ、非選択画面のデータ量が大きい場合には、非選択画面のデータ取り込みの処理比率を非選択画面に対して多く割り振ることにより、合成画面の質を高めることができる。
【０１７０】
なお、本実施の形態では、上記無線モジュール３０により構成したネットワークの中の機器としては、プロジェクタ６７へ画像を送るＰＣ６２〜６４やビデオやスキャナ６６以外に、画像を出力するプリンタ６５等もある。このような出力機器は、アイコン表示で表示画面の一部に表示させるようにしている。もし、会議中に、必要な画面を印刷したいときは、このアイコンをクリックすると、印刷設定画面がオーバーレイで表示され、印刷するファイル、印刷条件を入力すれば、その場でケーブルを接続せずに、ワイアレスで印刷可能となる。
【０１７１】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０１７２】
この場合、記憶媒体から読出されたプログラムコード自体が本発明の新規な機能を実現することになり、そのプログラムコードを記憶した記憶媒体は本発明を構成することになる。
【０１７３】
プログラムコードを供給するための記憶媒体としては、たとえば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、通信ネットワークを介してサーバコンピュータからプログラムコードが供給されるようにしてもよい。
【０１７４】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【０１７５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【０１７６】
【発明の効果】
以上説明したように、本発明によれば、複数の入力端子から入力された複数の映像信号の各モードが判別され、表示装置の同一画面上に、前記モードが判別された複数の映像信号が合成されて表示されるので、入力されている映像ソースの内容を容易に確認することができる。
【０１８４】
また、本発明によれば、送受信手段を用いて受信された映像信号のモードが判別され、表示装置の同一画面上に、前記モードが判別された映像信号または前記送受信手段により受信された制御信号が合成されて表示されるので、複数の映像信号をケーブル接続によらずに入力することができる。
【図面の簡単な説明】
【図１】本発明の第１の実施の形態に係る映像表示装置の概略構成を示すブロック図である。
【図２】図１の映像表示装置、特にＣＰＵが実行する副画面表示処理の手順を示すフローチャートである。
【図３】図２の副画面表示処理により表示された入力ソース確認画面の一例を示す図である。
【図４】本発明の第２の実施の形態に係る映像表示装置の概略構成を示すブロック図である。
【図５】図４の映像表示装置が実行する表示処理の手順を示すフローチャートである。
【図６】本発明の第３の実施の形態に係る映像表示装置が実行する副画面表示処理の手順を示すフローチャートである。
【図７】本発明の第４の実施の形態に係る映像表示装置が実行する副画面表示処理の手順を示すフローチャートである。
【図８】本発明の第５の実施の形態に係る映像表示装置の概略構成を示すブロック図である。
【図９】図８の映像表示装置の使い方の一例を示す図である。
【図１０】送信画像データおよび表示モード信号の各フォーマットの一例を示す図である。
【図１１】多画面のレイアウト例を示す図である。
【図１２】本発明の第６の実施の形態に係る映像表示装置の概略構成を示すブロック図である。
【図１３】本発明の第７の実施の形態に係る映像表示装置の概略構成を示すブロック図である。
【図１４】従来の映像表示装置の一例を示すブロック図である。
【符号の説明】
１  アナログ映像信号を入力するための入力端子
２  コンポジット信号などのビデオ信号を入力するための入力端子
３  セレクタ
４  デコーダ
５  セレクタ
６  Ａ／Ｄ変換器
７  セレクタ
８  信号処理部
９  メモリ
１０  Ｄ／Ａ変換器
１１  表示器
１２  同期信号処理回路
１３  ＰＬＬ回路
１４  タイミング制御部
１５  ＯＳＣ
１６  マイクロコンピュータ（ＣＰＵ）
１７  画像選択部
２１  動画／静止画判別回路
２２  ディジタル映像信号を入力するための入力端子
３０  無線モジュール部
３１  アンテナ
３２  パワーアンプ
３３  ＲＦトランシーバ部
３４  ベースバンド部
３５  メモリ（ＥＥＰＲＯＭ）
４１  バス
４２  マイコン
４３  映像入力端子
４４  セレクタ
４５  入力選択部
４６  信号処理部
４７  ＰＬＬ回路
４８  メモリ
４９  タイミング制御部
５０  Ｄ／Ａ変換器
５１  表示器
５２  表示位置検出回路
５５  デジタル出力端子
５６  動画／静止画判別回路
【図１】
0004688996.tif 000002
【図２】
0004688996.tif 000003
【図３】
0004688996.tif 000004
【図４】
0004688996.tif 000005
【図５】
0004688996.tif 000006
【図６】
0004688996.tif 000007
【図７】
0004688996.tif 000008
【図８】
0004688996.tif 000009
【図９】
0004688996.tif 000010
【図１０】
0004688996.tif 000011
【図１１】
0004688996.tif 000012
【図１２】
0004688996.tif 000013
【図１３】
0004688996.tif 000014
【図１４】
0004688996.tif 000015